(57)【要約】【課題】  本回転清掃体が回転している様子を使用者が確認したいときにだけ確認できるようにし、通常の使用時には回転清掃体が見えないような構造を有する吸口体、およびこの吸口体を有する電気掃除機を提供する。【解決手段】  回転清掃体を内部に備え、上面および後面は不透明な部材であり、前面に透明なバンパーを備える吸口体【選択図】図５
2018000825.tif 000002
【特許請求の範囲】
【請求項１】
回転清掃体を内部に備え、上面および後面は不透明な部材であり、前面に透明なバンパーを備える吸口体。
【請求項２】
回転清掃体を内部に備え、上面及び後面は不透明な部材であり、前面にバンパーを備え、該バンパーと下端との間に隙間を有する吸口体。
【請求項３】
回転清掃体を内部に備え、該回転清掃体の前方及び上方及び後方を覆うケースを有し、該ケースの上面及び後面は不透明であり、前面のみが透明である吸口体。
【請求項４】
回転清掃体を内部に備え、該回転清掃体の前方及び上方及び後方を覆うケースを有し、該ケースの上面及び後面は不透明であり、前面に窓を有し、
該窓に透明な部材を備える吸口体。
【発明の詳細な説明】
【技術分野】
【０００１】
本発明は、下面に吸込口が形成され、この吸込口に回転清掃体が回転自在に設けられた吸口体、およびこの吸口体を有する電気掃除機に関する。
【背景技術】
【０００２】
従来より、電気掃除機に用いられる吸口体として、被掃除面と対向する下面に吸込口を開口した吸気室に、清掃部材を螺旋状に取り付けた回転清掃体を設けたものがある。
【０００３】
このような吸口体において、回転清掃体の動作を外から見ることができれば、例えば回転清掃体に糸くず等が引っ掛かったときに、そのことを容易に確認でき便利である。
【０００４】
そこで、吸口体の上部ケースを半透明の部材で形成することにより、内部にある回転清掃体が正常回転しているかどうかを外から確認できるようにした吸込口体が提案されている（特許文献１参照）。
【先行技術文献】
【特許文献】
【０００５】
【特許文献１】特開2005-261721号公報
【発明の概要】
【発明が解決しようとする課題】
【０００６】
しかしながら、特許文献１では回転清掃体が回転している様子が常時見えるものの、継続して使用するにつれて汚れた回転清掃体が常に使用者に見えていると、製品の意匠性や清潔感が損なわれ、逆に使用者に不快感を与える原因となってしまう恐れがある。
【０００７】
本発明の目的は、回転清掃体が回転している様子を使用者が確認したいときにだけ確認できるようにし、通常の使用時には回転清掃体が見えないような構造を有する吸口体、およびこの吸口体を有する電気掃除機を提供することにある。
【課題を解決するための手段】
【０００８】
本発明は、回転清掃体を内部に備え、上面および後面は不透明な部材であり、前面に透明なバンパーを備える。
【発明の効果】
【０００９】
本発明によれば、吸口体上面および吸口体後面は不透明の部材が回転清掃体を覆うため、吸口体よりも後ろに立っている使用者は通常使用時においては回転清掃体の回転を外から見ることはできない。一方、吸口体前面は透明部材であるため、前方から覗いた場合のみ内部の回転清掃体の回転を外から確認できる。
これにより、通常使用時においては使用者が回転清掃体の回転動作に気を取られたり、汚れた回転清掃体が見えることにより不快感を受けたりすることがない一方で、確認したい場合には前方から覗くことで回転清掃体が正常回転しているかどうかを確認でき、また店頭での実演展示時においては回転清掃体が高速回転する様子を前方にいる観覧者に効果的に訴求可能となる。
【図面の簡単な説明】
【００１０】
【図１】第１実施形態に係る電気掃除機の外観図である。
【図２】第１実施形態に係る床用吸込具の外観図である。
【図３】第１実施形態に係る床用吸込具の外観図（一部分解図）である。
【図４】第１実施形態に係る床用吸込具の正面図である。
【図５】第１実施形態に係る床用吸込具の垂直断面図である。
【図６】第２実施形態に係る床用吸込具の外観図である。
【図７】第３実施形態に係る床用吸込具の外観図である。
【図８】第４実施形態に係る床用吸込具の外観図である。
【発明を実施するための形態】
【００１１】
以下、本発明の第１実施形態について図面を参照して説明する。
図１に本発明の第１実施形態に係る電気掃除機の外観図を示す。電気掃除機１は、掃除機本体２と、掃除機本体２から延長されたホース３と、ホース３の端部に接続され、手元操作スイッチSW等が設けられた操作部４と、操作部４の端部から接続された伸縮自在の延長管５と、延長管５の端部に接続され、床面に設置して塵埃を取り入れる吸口体６とで構成される。図１に、前方、後方、側方、上方、下方を示す。以降、上下などはこの記載に基づくものとする。
【００１２】
掃除機本体２は、吸引力を発生させる電動送風機２ａや、吸引力により収集した塵埃を収容する集塵部２ｂを備えている。
【００１３】
ホース３は、操作部４と掃除機本体２とを接続し、吸口体６などから吸引した塵埃の通り道となる。
【００１４】
操作部４は、ハンドル４ａと、手元操作スイッチＳＷを備える。手元操作スイッチＳＷにより電気掃除機１の運転のON/OFFおよび強/中/弱、回転清掃体１２の回転のON/OFF切り替え等ができる。
【００１５】
延長管５は、外管５ａと内管５ｂから構成される。延長管５の収縮時には内管５ｂは外管５ａの内部に収納され、延長時には内管５ｂが外管５ａの外に出てくるといった仕組みで伸縮自在となっている。
【００１６】
吸口体６の斜視図を図２に示す。
吸口体６は、吸口体６における上方を覆う上ケース部１０と、上ケース部１０の下に位置し被掃除面と対向する下面に吸込口１８を開口した下ケース部１１と、吸込口１８に設けられた回転清掃体１２と、吸口体６の前面に位置し、吸口体６の前面および回転清掃体１２の前面を保護するバンパー１３と、回転清掃体１２に駆動力を与える駆動源１４（図示せず）から構成される。
【００１７】
上ケース部１０および下ケース部１１には、吸口体６の内部にある部品や回線、基板、駆動源１４等を覆う役割がある。
【００１８】
上ケース部１０は回転清掃体１２の上を覆う位置にあり、不透明部材で形成されていることによって、吸口体６の上方から、吸口体６の内部の回転清掃体１２が見えないような構造となっている。上ケース部１０は、回転清掃体１２の床面に対して垂直方向への投影面を全て覆うような位置および形状であることが好ましい。ただし、前記投影面を全て覆っていなくとも、使用者が電気掃除機１の使用時に吸口体６を斜め後ろから見た際に、回転清掃体１２がはっきりと見えないような構成となっていればその限りではない。具体的には、吸口体６を、吸口体６の後方45〜90°の角度から見下ろす際に、回転清掃体１２が上ケース部１０によって隠れるような構成であれば、上ケース部１０が前記投影面を全て覆っていなくとも良い。なお、上ケース部１０は回転清掃体１２の前面は覆わない形状とする。
【００１９】
下ケース部１１は回転清掃体１２の上面、側面および後面を覆う位置にあり、不透明部材で形成されていることによって、吸口体６の上方、側方および後方から、吸口体６の内部の回転清掃体１２が見えないような構造となっている。図３に吸口体６を斜め下から見上げた構図で、回転清掃体１２のみを分解した様子を示す。このように、下ケース部１１は、回転清掃体１２の上部にある上面壁１５、側面にある側面壁１６、後面にある後面壁１７を持つ構造である。なお、下ケース部１１の前面には壁を設けておらず、バンパー１３なしの状態では回転清掃体１２の前面のみが下ケース部１１の外部から見えるような構成となることを特徴とする。
【００２０】
回転清掃体１２は、清掃部材（ハケ）を螺旋状に取り付けた構造であり、２種類以上の異なる色を持つ清掃部材を交互に配置するものとする。回転清掃体１２の静止時には異なる色の配列に見えるが、高速回転させることでそれらの色が混ざった色に見えるようになる。このような構造にすることで回転清掃体１２の静止時と回転時での見え方が大きく異なるため、回転しているかどうかを一目で判別しやすい。
【００２１】
回転清掃体１２は吸口体６の前面付近に位置し、吸口体６前進時に前から来た床面のゴミを清掃部材の回転によって逃さず吸込口６の内部へと搬送する役割を担う。その際、駆動源１４から動力を得て高速回転する。
【００２２】
バンパー１３は吸口体６における最前面に位置し、吸口体６の前面を保護する役割を担う。これにより吸口体６が壁や障害物と衝突した際にも、壁や障害物を傷付けることなく、また回転清掃体１２がこれら壁や障害物と接することなく回転し続けることができる。そのため、バンパー１３はある程度の緩衝性を持つ部材で形成されることが好ましい。また、バンパー１３は透明な部材（透明エラストマ、透明ＡＢＳ等）で形成する。回転清掃体１２の前面には透明なバンパー１３のみが存在し、回転清掃体１２の上面は上ケース部１０もしくは下ケース部１１の上面壁１５で覆われ、側面壁１６と後面壁１７を持ち前面のみ壁のない下ケース部１１により側面、後面も覆われる。これらより、吸口体６の上方・後方・側方からは確認できない内部の回転清掃体１２の様子を、前方からのみ透明なバンパー１３越しに確認できるような構成となっている。バンパー１３は回転清掃体１２の長手方向の長さと同等の長さを持つものとする。ただし、吸口体６の前方から内部の回転清掃体１２の様子を確認できるだけの長さがあれば、これに限らない。上下方向に関しては、回転清掃体１２全体を覆うなど保護している必要性はかならずしもなく、吸口体６が壁に衝突した際に最初に衝突するのがバンパー１３となるような位置関係にさえなっていれば、上下方向の寸法は問わない。すなわち、床面まで下端部を伸ばし回転清掃体１２の下部まで全て覆った形状でも、床面からある程度の高さまで下端部を上げ、大きな塵埃を取り込めるようにした形状でも、バンパー１３が本来持つ吸口体６の前面の保護という役割を果たしていれば問題ないとする。
【００２３】
店頭での実演時においては、図４のように吸口体６を観覧者が前面から見ることが想定される。その際、手前側にあるバンパー１３が透明であることにより、バンパー１３越しに内部の回転清掃体１２や、回転清掃体が回転している様子が観覧者に効果的に訴求できるようになる。
以降は、本発明における透明バンパーの別実施例を挙げる。
【００２４】
本発明の第２実施形態について、図６を用いて説明する。以下、説明する点以外は第１実施形態と同じ構成とする。第２実施形態の吸口体１０６では、バンパー１１３を上下方向に短くし、バンパー１１３の下端部を床面からあげることで、回転清掃体１２の様子をバンパー１１３の下端部から床面までの隙間から観察可能である。
【００２５】
本発明の第３実施形態について、図７を用いて説明する。以下、説明する点以外は第１実施形態と同じ構成とする。第３実施形態では、上ケース部とバンパーを別部品ではなく一体形成した部品とする。上ケース部２１０を延長して吸口体２０６における前面を覆うようにした上で、回転清掃体１２の前面を覆う箇所（透明部２１０ｂ）のみを透明にし、上面を覆う箇所（塗装部２１０ａ）には塗装を施すことで、吸口体２０６の上方からは内部が見えず、前面からのみ回転清掃体１２が見られる。
【００２６】
本発明の第４実施形態について、図８を用いて説明する。以下、説明する点以外は第１実施形態と同じ構成とする。第４実施形態の吸口体３０６では、上ケース部３１０の一部に透明部材で形成される窓１９を設け、その窓１９越しに内部の回転清掃体１２の様子が見られる。
なお、上ケース部、下ケース部は、第１〜４実施形態に記載の構成に限らない。上ケース部、下ケース部のうち、少なくとも何れか一方が不透明であり、回転清掃体が上方および後方から見えない構成であればよいものとする。
【符号の説明】
【００２７】
１    電気掃除機
２    掃除機本体
３    ホース
４    操作部
ＳＷ  手元スイッチ
４ａ  ハンドル
５    延長管
５ａ  外管
５ｂ  内管
６  106  206  306    吸口体
１０  210  310  上ケース部
１１  下ケース部
１２  回転清掃体
１３  113  バンパー
１４  駆動源
１５  上面壁
１６  側面壁
１７  後面壁
１８  吸込口
１９  窓
２１０ａ  塗装部
２１０ｂ  透明部
【図１】
2018000825.tif 000003
【図２】
2018000825.tif 000004
【図３】
2018000825.tif 000005
【図４】
2018000825.tif 000006
【図５】
2018000825.tif 000007
【図６】
2018000825.tif 000008
【図７】
2018000825.tif 000009
【図８】
2018000825.tif 000010